(57)【要約】【課題】静電気に対する良好な耐性を持つタッチパネルを提供する。【解決手段】タッチパネルは、２個のグラウンド線を含む。２個のグラウンド線のうちの一方の一端部（端部Ｘ１）と２個のグラウンド線のうちの他方の一端部（端部Ｙ１）は、隙間を形成している。タッチパネルをその正面から見た時、一例として次の条件が満たされる：線分Ｚ１は、２個のグラウンド線の少なくとも１個と交差する。線分Ｚ１は、隙間の外側ゲートの両脇に位置する端部Ｘ１の部位と端部Ｙ１の部位を結ぶ第１線分上の任意の一点Ｐ１と、隙間の内側ゲートの両脇に位置する端部Ｘ１の部位と端部Ｙ１の部位を結ぶ第２線分上の任意の一点Ｑ１と、を結ぶ線分である。【選択図】図４Ａ
2019212300.tif 000002
【特許請求の範囲】
【請求項１】
透明基板上に、センサ電極配列と、前記センサ電極配列の外側に位置して前記センサ電極配列に接続された額縁配線と、前記額縁配線の外側に位置して前記センサ電極配列及び前記額縁配線を囲む周回方向に延伸されたグラウンド線とが形成されているタッチパネルであって、
前記グラウンド線は相互に分断された２本のグラウンド線で構成され、前記周回方向において前記２本のグラウンド線のうちの一方のみが延伸されている部分、他方のみが延伸されている部分及び両方が重複して延伸されている部分の３つの部分を有しており、
前記両方が重複して延伸されている部分において、前記２本のグラウンド線を相互に分断する隙間が形成されていることを特徴とするタッチパネル。
【請求項２】
透明基板上に、センサ電極配列と、前記センサ電極配列の外側に位置して前記センサ電極配列に接続された額縁配線と、前記額縁配線の外側に位置して前記センサ電極配列及び前記額縁配線を囲む２本のグラウンド線とが形成されているタッチパネルであって、
前記２本のグラウンド線は隙間を介して配置されており、
前記隙間は、前記２本のグラウンド線に触れることなく前記隙間を通り抜ける静電気の放電経路が形成されないように形成されている、あるいは、静電気が前記２本のグラウンド線に触れることなく前記隙間を通り抜けたとしても、前記センサ電極配列または前記額縁配線に到達することなく静電気が前記２本のグラウンド線のいずれかに到達するように形成されている
タッチパネル。
【請求項３】
タッチパネルであって、
第１センサ回路部と、
２個の第１グラウンド線と、ただし、各前記第１グラウンド線は帯状形状を持ち、
を含み、
前記第１センサ回路部と前記２個の第１グラウンド線は同じ層に形成されており、
前記第１センサ回路部は、前記２個の第１グラウンド線で挟まれており、
前記２個の第１グラウンド線のうちの一方の一端部（以下、「端部Ｘ１」と呼称する）と前記２個の第１グラウンド線のうちの他方の一端部（以下、「端部Ｙ１」と呼称する）は、第１隙間を形成しており、
前記タッチパネルを正面から見た時、下記１）と２）の一方が満たされる：
１）線分Ｚ１は、前記２個の第１グラウンド線の少なくとも１個と交差する、ただし、前記線分Ｚ１は、前記第１隙間の外側ゲートの両脇に位置する前記端部Ｘ１の部位と前記端部Ｙ１の部位を結ぶ第１線分上の任意の一点Ｐ１と、前記第１隙間の内側ゲートの両脇に位置する前記端部Ｘ１の部位と前記端部Ｙ１の部位を結ぶ第２線分上の任意の一点Ｑ１と、を結ぶ線分である、
２）前記タッチパネルの内部へ伸びる線分Ｖ１の延長線が、前記第１センサ回路部と交差することなく、前記２個の第１グラウンド線のいずれかと交差する、ただし、前記線分Ｖ１は、前記第１隙間の外側ゲートの両脇に位置する前記端部Ｘ１の部位と前記端部Ｙ１の部位を結ぶ第１線分上の一点Ｊ１と、前記第１隙間の内側ゲートの両脇に位置する前記端部Ｘ１の部位と前記端部Ｙ１の部位を結ぶ第２線分上の一点Ｋ１と、を結び、且つ、前記２個の第１グラウンド線と交差しない任意の一線分である、
ことを特徴とするタッチパネル。
【請求項４】
請求項３に記載のタッチパネルにおいて、
前記１）が成立する場合、前記第１隙間は、非直線状の隙間である
ことを特徴とするタッチパネル。
【請求項５】
請求項３に記載のタッチパネルにおいて、
前記２）が成立する場合、前記第１隙間は、直線状の隙間である
ことを特徴とするタッチパネル。
【請求項６】
請求項３から請求項５のいずれかに記載のタッチパネルにおいて、
さらに、
第２センサ回路部と、
２個の第２グラウンド線と、ただし、各前記第２グラウンド線は帯状形状を持ち、
を含み、
前記第２センサ回路部は、前記２個の第２グラウンド線で挟まれており、
前記第１センサ回路部と前記第２センサ回路部は互いに絶縁されており、
前記２個の第２グラウンド線のうちの一方の一端部（以下、「端部Ｘ２」と呼称する）と前記２個の第２グラウンド線のうちの他方の一端部（以下、「端部Ｙ２」と呼称する）は、第２隙間を形成しており、
前記タッチパネルを正面から見た時、下記３）と４）の一方が満たされる：
３）線分Ｚ２は、前記２個の第２グラウンド線の少なくとも１個と交差する、ただし、前記線分Ｚ２は、前記第２隙間の外側ゲートの両脇に位置する前記端部Ｘ２の部位と前記端部Ｙ２の部位を結ぶ第３線分上の任意の一点Ｐ２と、前記第２隙間の内側ゲートの両脇に位置する前記端部Ｘ２の部位と前記端部Ｙ２の部位を結ぶ第４線分上の任意の一点Ｑ２と、を結ぶ線分である、
４）前記タッチパネルの内部へ伸びる線分Ｖ２の延長線が、前記第２センサ回路部と交差することなく、前記２個の第２グラウンド線のいずれかと交差する、ただし、前記線分Ｖ２は、前記第２隙間の外側ゲートの両脇に位置する前記端部Ｘ２の部位と前記端部Ｙ２の部位を結ぶ第３線分上の一点Ｊ２と、前記第２隙間の内側ゲートの両脇に位置する前記端部Ｘ２の部位と前記端部Ｙ２の部位を結ぶ第４線分上の一点Ｋ２と、を結び、且つ、前記２個の第２グラウンド線と交差しない任意の一線分である、
ことを特徴とするタッチパネル。
【請求項７】
請求項６に記載のタッチパネルにおいて、
前記２個の第２グラウンド線は、前記２個の第１グラウンド線の上に重なっており、
前記タッチパネルを正面から見た時、前記第２隙間は、前記第１隙間とオーバーラップしている
ことを特徴とするタッチパネル。
【発明の詳細な説明】
【技術分野】
【０００１】
本発明は、タッチパネルに関し、詳しくは静電気に対する耐性に優れたタッチパネルに関する。
【背景技術】
【０００２】
図１Ａ，１Ｂ，２，３はタッチパネルの従来例として特許文献１に記載されている静電容量式のタッチパネルの構成を示したものである。
【０００３】
タッチパネル１００は矩形状の透明基板１１上に図１Ｂに示すように、第１導体層１２、絶縁層１３、第２導体層１４及び保護膜１５が順次、積層形成された構成を有し、さらに保護膜１５上には光学粘着剤（ＯＣＡ：Optical Clear Adhesive）１６によってカバー１７が貼り付けられた構成となっている。透明基板１１は例えばＰＥＴ（ポリエチレンテレフタレート）やＰＣ（ポリカーボネート）よりなるものとされ、カバー１７は例えばＰＣよりなるものとされている。絶縁層１３及び保護膜１５にはアクリル樹脂やエポキシ樹脂が用いられるものとなっている。なお、図１Ａではカバー１７及び光学粘着剤１６の図示は省略されている。
【０００４】
センサ電極配列は図１Ａ，１Ｂでは詳細図示が省略されているが、複数の第１センサ電極列２１と複数の第２センサ電極列２５とよりなり、複数の第１センサ電極列２１は第１導体層１２によって形成され、複数の第２センサ電極列２５は絶縁層１３により第１導体層１２と絶縁された第２導体層１４によって形成されている。図１Ａ中、矩形枠で囲まれた部分はセンサ電極配列が位置するセンサ領域３０を示す。図１Ｂ中、２００はこのタッチパネル１００が取り付けられる相手方の筺体を示す。筺体２００は一般に樹脂製とされている。
【０００５】
図２は第１導体層１２によって形成されている第１センサ電極列２１、額縁配線及び第１グラウンド線５１ａ，５１ｂの配置、形状を示し、図３は第２導体層１４によって形成されている第２センサ電極列２５、シールド線６０及び第２グラウンド線５２ａ，５２ｂの配置、形状を示す。なお、図１Ａ及び図３ではシールド線６０はハッチングを付して示されている。
【０００６】
第１センサ電極列２１は透明基板１１の長辺と平行なＸ方向に配列された複数の第１島状電極２２と、隣接する第１島状電極２２を連結する第１連結部２３とよりなる。第１センサ電極列２１は透明基板１１の短辺と平行なＹ方向に複数、並列配置されて設けられている。第２センサ電極列２５はＹ方向に配列された複数の第２島状電極２６と、隣接する第２島状電極２６を連結する第２連結部２７とよりなる。第２センサ電極列２５はＸ方向に複数、並列配置されて設けられている。第１センサ電極列２１と第２センサ電極列２５は互いに絶縁された状態で交差され、第１連結部２３と第２連結部２７は互いに重なる位置に位置されている。第１島状電極２２と第２島状電極２６は外形が菱形形状をなすものとされている。
【０００７】
額縁配線は図２に示すように、センサ電極配列の外側（周辺）に設けられている。額縁配線は複数の第２額縁線４２と複数の第１額縁線４１とよりなり、第２額縁線４２と第１額縁線４１とを分離する第３グラウンド線４３が額縁配線に含まれている。この例では各第１センサ電極列２１のＸ方向両端にそれぞれ第１額縁線４１が接続されており、各第２センサ電極列２５のＹ方向一端にそれぞれ第２額縁線４２が接続されている。なお、図１Ａ及び図２では複数配列されてセンサ電極配列から引き出されている第２額縁線４２、第１額縁線４１は、配列の両端に位置するもののみ示され、両端に位置する以外のものは図示を省略されている。第１センサ電極列２１を受信側とするか、あるいは送信側とするかは、外部の信号処理ＩＣによって決まり、信号処理ＩＣに応じて第２額縁線４２が送信線あるいは受信線となり、第１額縁線４１が受信線あるいは送信線となる。
【０００８】
第２額縁線４２と第１額縁線４１は透明基板１１の一方の長辺（下辺）の中央及び中央近傍まで延びて形成されている。第３グラウンド線４３は透明基板１１の下辺側において第２額縁線４２の配列と第１額縁線４１の配列の間に設けられており、第２額縁線４２及び第１額縁線４１と同様、透明基板１１の下辺中央近傍まで延びて形成されている。
【０００９】
第１グラウンド線５１ａ，５１ｂは額縁配線の外側に設けられ、透明基板１１の周縁に位置されている。第１グラウンド線５１ａ，５１ｂは透明基板１１の下辺中央部を除き、額縁配線及びセンサ電極配列を囲むように形成されている。なお、透明基板１１の上辺中央において第１グラウンド線５１ａ，５１ｂは隙間によって分断されている。
【００１０】
シールド線６０は図３に示したようにセンサ電極配列の外側に設けられている。シールド線６０は絶縁層１３を介して額縁配線上に位置し、額縁配線はシールド線６０によって覆われている（図１Ｂ参照）。
【００１１】
シールド線６０の外側には第２グラウンド線５２ａ，５２ｂが設けられている。第２グラウンド線５２ａ，５２ｂは第１グラウンド線５１ａ，５１ｂと同じ形状を有し、絶縁層１３を介して第１グラウンド線５１ａ，５１ｂの上に位置されている。第２グラウンド線５２ａ，５２ｂとシールド線６０は互いに接続されて導通されている。
【００１２】
第１及び第２のグラウンド線５１ａ，５１ｂ，５２ａ，５２ｂ及び額縁配線は透明基板１１の下辺中央部において、外部の回路基板にそれぞれ接続されるものとなっている。
【００１３】
上記のような構成において、第１及び第２のセンサ電極列２１，２５は図２及び図３に示すように、この例では導体細線のメッシュよりなり、印刷によって形成されるものとなっている。即ち、この例では第１及び第２の導体層１２，１４は印刷によって形成され、太い第１及び第２のグラウンド線５１ａ，５１ｂ，５２ａ，５２ｂ及び第３グラウンド線４３も印刷性の観点から太いベタ配線ではなく、メッシュ状の配線となっている。なお、細い第２額縁線４２及び第１額縁線４１はライン状（線状）の配線とされるが、メッシュ状の配線とされてもよい。
【００１４】
第１及び第２の導体層１２，１４の印刷は銀などの導電粒子を含有する導電インキを用い、グラビアオフセット印刷することによって行われる。なお、第１及び第２のグラウンド線５１ａ，５１ｂ，５２ａ，５２ｂ及び第３グラウンド線４３のメッシュはシールド線６０のメッシュよりも開口率が小さくされており、図３に示すようにライン幅は同じで、ライン間隔（スペース幅）が小さくされ、つまりメッシュピッチが小さくされている。
【００１５】
上記のような構成を有するタッチパネル１００では、第１及び第２のグラウンド線５１ａ，５１ｂ，５２ａ，５２ｂは、透明基板１１の板面と平行な方向からタッチパネル１００に向かって入射しようとする電磁ノイズを吸収することで額縁配線を保護し、タッチパネル１００の誤動作を防止すると共に、透明基板１１の板面と平行な方向にタッチパネル１００から外へ放射されようとする電磁ノイズを吸収することで外部機器の誤動作を防止するものとなっている。
【００１６】
また、第１及び第２のグラウンド線５１ａ，５１ｂ，５２ａ，５２ｂは、ユーザがタッチパネル１００に触れることにより生じる静電気放電（ＥＳＤ：Electro Static Discharge）により、例えば額縁配線が破壊されるのを防止するため、侵入してきた静電気を外部の回路基板に逃がす役割を果たすものとなっている。
【００１７】
一方、シールド線６０は透明基板１１の板面と垂直な方向からタッチパネル１００に向かって入射しようとする電磁ノイズを吸収することで額縁配線を保護し、タッチパネル１００の誤動作を防止すると共に、透明基板１１の板面と垂直な方向にタッチパネル１００から外へ放射されようとする電磁ノイズを吸収することで外部機器の誤動作を防止するものとなっている。
【００１８】
別の観点から、再度、図１Ａ，１Ｂ，２，３に示される静電容量型タッチパネル１００について説明する。
【００１９】
樹脂製の筺体２００に取り付けられるタッチパネル１００では、第１導体層１２、絶縁層１３、第２導体層１４および保護膜１５がこの順番で矩形平板状の透明基板１１上に積層されている（図１Ｂ参照）。矩形平板状のカバー１７は、光学粘着剤（ＯＣＡ：Optical Clear Adhesive）１６によって保護膜１５の上部に貼り付けられている。透明基板１１の材質は、例えばＰＥＴ（ポリエチレンテレフタレート）またはＰＣ（ポリカーボネート）である。カバー１７の材質は、例えばＰＣである。絶縁層１３および保護膜１５のそれぞれの材質は、例えばアクリル樹脂またはエポキシ樹脂である。図１Ａでは、カバー１７および光学粘着剤１６の図示は省略されている。
【００２０】
タッチパネル１００は、少なくとも、第１センサ回路部１０１と、第２センサ回路部１０２と、２個の第１グラウンド線５１ａ，５１ｂと、２個の第２グラウンド線５２ａ，５２ｂと、１個のシールド線６０を含む。第１センサ回路部１０１は、複数の第１センサ電極列２１と複数の第１額縁線４１を含む。第２センサ回路部１０２は、複数の第２センサ電極列２５と複数の第２額縁線４２を含む。図１Ａでは、複数の第１センサ電極列２１の一部と複数の第２センサ電極列２５の一部が図示されている。
【００２１】
２個の第１グラウンド線５１ａ，５１ｂはそれぞれ２箇所で屈曲された帯状形状（換言すれば、staple形状）を持つ。２個の第２グラウンド線５２ａ，５２ｂはそれぞれ２箇所で屈曲された帯状形状（換言すれば、staple形状）を持つ。タッチパネル１００をその正面から見た時（つまり、カバー１７の法線方向でタッチパネル１００を見た時）、第１センサ回路部１０１は２個の第１グラウンド線５１ａ，５１ｂで挟まれており、第２センサ回路部１０２は２個の第２グラウンド線５２ａ，５２ｂで挟まれている。タッチパネル１００をその正面から見た時、複数の第１センサ電極列２１と複数の第２センサ電極列２５は、タッチパネル１００の中央領域であるセンサ領域３０に位置する。複数の第１センサ電極列２１と複数の第１額縁線４１と複数の第２額縁線４２と２個の第１グラウンド線５１ａ，５１ｂは、第１導体層１２に形成されている。複数の第２センサ電極列２５と２個の第２グラウンド線５２ａ，５２ｂとシールド線６０は、第２導体層１４に形成されている。第２導体層１４は、絶縁層１３によって第１導体層１２と絶縁されている。
【００２２】
以下、タッチパネル１００の構造の詳細を説明する。説明の簡略化のため、「２個の第１グラウンド線５１ａ，５１ｂのうちの一方」を単に「第１グラウンド線５１ａ」と呼称し、「２個の第１グラウンド線５１ａ，５１ｂのうちの他方」を単に「第１グラウンド線５１ｂ」と呼称することもある。同様に、「２個の第２グラウンド線５２ａ，５２ｂのうちの一方」を単に「第２グラウンド線５２ａ」と呼称し、「２個の第２グラウンド線５２ａ，５２ｂのうちの他方」を単に「第２グラウンド線５２ｂ」と呼称することもある。
【００２３】
＜第２導体層１４  -  図３＞
各第２センサ電極列２５は、タッチパネル１００の一方の辺（短辺）と平行なＹ方向に配列された複数の第２島状電極２６と、複数の第２連結部２７を含む。各第２連結部２７は、隣接する二つの第２島状電極２６を連結する。複数の第２センサ電極列２５は、タッチパネル１００の他方の辺（長辺）と平行なＸ方向に並置されている。各第２島状電極２６の外形は菱形形状である。
【００２４】
２個の第２グラウンド線５２ａ，５２ｂは、タッチパネル１００の周縁部に位置しており、複数の第２センサ電極列２５が位置するセンサ領域３０を大きな隙間を空けて挟んでいる。タッチパネル１００の上辺の中央部において、第２グラウンド線５２ａの一端部と第２グラウンド線５２ｂの一端部は、小さな第２隙間５４を空けて当該両端部の伸長方向で互いに対向している。タッチパネル１００の下辺の中央部において、第２グラウンド線５２ａの他端部と第２グラウンド線５２ｂの他端部は、大きな隙間を空けて当該両端部の伸長方向で互いに対向している。
【００２５】
馬蹄形状のシールド線６０は、図３に示すように、複数の第２センサ電極列２５が位置するセンサ領域３０と２個の第２グラウンド線５２ａ，５２ｂが位置する領域との間の大きな隙間に位置している。２個の第２グラウンド線５２ａ，５２ｂのそれぞれは、シールド線６０と接続している。図１Ａおよび図３では、シールド線６０はハッチングで示されている。
【００２６】
＜第１導体層１２  -  図２＞
各第１センサ電極列２１は、タッチパネル１００の長辺と平行なＸ方向に配列された複数の第１島状電極２２と、複数の第１連結部２３を含む。各第１連結部２３は、隣接する二つの第１島状電極２２を連結する。複数の第１センサ電極列２１は、タッチパネル１００の短辺と平行なＹ方向に並置されている。各第１島状電極２２の外形は菱形形状である。タッチパネル１００をその正面から見た時、複数の第１センサ電極列２１と複数の第２センサ電極列２５は、第１島状電極２２と第２島状電極２６がオーバーラップせず且つ第１連結部２３と第２連結部２７が交差する状態で、互いに交差している（図１Ａ参照）。
【００２７】
２個の第１グラウンド線５１ａ，５１ｂは、タッチパネル１００の周縁部に位置しており、複数の第１センサ電極列２１が位置するセンサ領域３０を大きな隙間を空けて挟んでいる。タッチパネル１００の上辺の中央部において、第１グラウンド線５１ａの一端部と第１グラウンド線５１ｂの一端部は、小さな第１隙間５３を空けて当該両端部の伸長方向で互いに対向している。タッチパネル１００の下辺の中央部において、第１グラウンド線５１ａの他端部と第１グラウンド線５１ｂの他端部は、大きな隙間を空けて当該両端部の伸長方向で互いに対向している。
【００２８】
第１グラウンド線５１ａは、第２グラウンド線５２ａと同じ形状を有し、第１グラウンド線５１ａと第２グラウンド線５２ａとの間に絶縁層１３が介在した状態で、第２グラウンド線５２ａの真下に位置している。同様に、第１グラウンド線５１ｂは、第２グラウンド線５２ｂと同じ形状を有し、第１グラウンド線５１ｂと第２グラウンド線５２ｂとの間に絶縁層１３が介在した状態で、第２グラウンド線５２ｂの真下に位置している。
【００２９】
複数の第１額縁線４１と複数の第２額縁線４２は、図２に示すように、複数の第１センサ電極列２１が位置するセンサ領域３０と２個の第１グラウンド線５１ａ，５１ｂが位置する領域との間の大きな隙間に位置している。複数の第１額縁線４１のそれぞれは、第１センサ電極列２１のうち対応する一つと接続している。この例では、複数の第１センサ電極列２１の一端（図２において、Ｘ方向の左端）のそれぞれに複数の第１額縁線４１のうちの対応する一つの一端が接続されており、同様に、複数の第１センサ電極列２１の他端（図２において、Ｘ方向の右端）のそれぞれに複数の第１額縁線４１のうちの対応する一つの一端が接続されている。複数の第２額縁線４２のそれぞれは、第２センサ電極列２５のうち対応する一つと接続している。さらに、絶縁層１３に形成されているビアホール（図示せず）を通じて、複数の第２センサ電極列２５の一端（図３において、Ｙ方向の下端）のそれぞれに複数の第２額縁線４２のうちの一つの一端が接続されている。
【００３０】
図１Ａおよび図２（ａ）では、複数の第１額縁線４１のうち、各束の両端に位置する第１額縁線４１のみが図示され、残りの第１額縁線４１の図示は省略されており、同様に、複数の第２額縁線４２のうち、両端に位置する第２額縁線４２のみが図示され、残りの第２額縁線４２の図示は省略されている。
【００３１】
複数の第１額縁線４１の他端および複数の第２額縁線４２の他端は、第１グラウンド線５１ａの他端部と第１グラウンド線５１ｂの他端部の間の大きな隙間を通って、タッチパネル１００の外部に出ている。
【００３２】
シールド線６０は、シールド線６０と複数の額縁線（第１額縁線４１、第２額縁線４２）の間に絶縁層１３が介在した状態で、複数の額縁線の真上に位置する。つまり、複数の第１額縁線４１および複数の第２額縁線４２はシールド線６０によって覆われている（図１Ｂ参照）。
【００３３】
この例では、タッチパネル１００は、さらに２個の第３グラウンド線４３を含む。２個の第３グラウンド線４３のうちの一方は、第２額縁線４２の束と、複数の第１センサ電極列２１の一端に接続されている第１額縁線４１の束と、を分離している。２個の第３グラウンド線４３のうちの他方は、第２額縁線４２の束と、複数の第１センサ電極列２１の他端に接続されている第１額縁線４１の束と、を分離している（図１Ａ、図２参照）。
【００３４】
２個の第１グラウンド線５１ａ，５１ｂ、２個の第２グラウンド線５２ａ，５２ｂ、第１額縁線４１、第２額縁線４２および２個の第３グラウンド線４３はそれぞれ、透明基板１１の下辺中央部において、外部回路基板（図示せず）に接続される。
【００３５】
＜印刷配線＞
上記構成において、第１および第２のセンサ電極列２１，２５は、図２および図３に示すように、細線で形成された平面メッシュ構造を持ち、印刷によって形成される。同様に、２個の第１グラウンド線５１ａ，５１ｂ、２個の第２グラウンド線５２ａ，５２ｂおよび２個の第３グラウンド線４３も、印刷性の観点から、細線で形成された平面メッシュ構造を持つ。第１額縁線４１および第２額縁線４２のそれぞれの構造は、この例では単線構造であるが、平面メッシュ構造でもよい。
【００３６】
第１および第２の導体層１２，１４は、銀などの導電粒子を含有する導電インキを用いたグラビアオフセット印刷によって形成される。２個の第１グラウンド線５１ａ，５１ｂ、２個の第２グラウンド線５２ａ，５２ｂおよび２個の第３グラウンド線４３のそれぞれのメッシュの開口率は、シールド線６０のメッシュの開口率よりも小さい。具体的には、図３に示すように、小さい開口率は、ライン幅を一定に保ったまま、ライン間隔（スペース幅）を小さくすることによって、つまりメッシュ周期を小さくすることによって実現される。
【００３７】
＜グラウンド線とシールド線の機能＞
タッチパネル１００では、２個の第１グラウンド線５１ａ，５１ｂと２個の第２グラウンド線５２ａ，５２ｂは、電磁両立性（ＥＭＣ:Electro Magnetic Compatibility）に寄与する。つまり、２個の第１グラウンド線５１ａ，５１ｂと２個の第２グラウンド線５２ａ，５２ｂは、カバー１７の板面と平行な方向（つまり、透明基板１１の板面の法線と直交する方向）からタッチパネル１００に向かって入る電磁ノイズを吸収することで額縁線（第１額縁線４１、第２額縁線４２）を保護し、タッチパネル１００の誤動作を防止する機能と、カバー１７の板面と平行な方向にタッチパネル１００から外へ放射される電磁ノイズを吸収することで外部機器の誤動作を防止する機能を持つ。
【００３８】
さらに、２個の第１グラウンド線５１ａ，５１ｂと２個の第２グラウンド線５２ａ，５２ｂは、例えば、ユーザがタッチパネル１００に触れた時に生じる静電気放電（ＥＳＤ：Electro Static Discharge）によって額縁線（第１額縁線４１、第２額縁線４２）が破壊されるのを防止するため、タッチパネル１００に侵入してきた静電気を外部の回路基板に逃がす機能を持つ。
【００３９】
シールド線６０は、ＥＭＣに寄与する。つまり、シールド線６０は、透明基板１１の板面と垂直な方向からタッチパネル１００に向かって入る電磁ノイズを吸収することで額縁線（第１額縁線４１、第２額縁線４２）を保護し、タッチパネル１００の誤動作を防止する機能と、透明基板１１の板面と垂直な方向にタッチパネル１００から外へ放射される電磁ノイズを吸収することで外部機器の誤動作を防止する機能を持つ。
【先行技術文献】
【特許文献】
【００４０】
【特許文献１】特許第５９５７１３２号公報
【発明の概要】
【発明が解決しようとする課題】
【００４１】
タッチパネル１００では、２個の第１グラウンド線５１ａ，５１ｂは、グラウンド線内にノイズ電流を発生させるアンテナ効果を抑圧するために、第１隙間５３で隔てられている。同様に、２個の第２グラウンド線５２ａ，５２ｂは、グラウンド線内にノイズ電流を発生させるアンテナ効果を抑圧するために、第２隙間５４で隔てられている。従って、第１と第２の隙間５３，５４から静電気が侵入する虞があるので、タッチパネル１００のＥＳＤに対する対策は十分でない。
【００４２】
本発明の目的は、静電気に対する良好な耐性を持つタッチパネルを提供することである。
【課題を解決するための手段】
【００４３】
本発明のタッチパネルは、第１センサ回路部と、２個の第１グラウンド線（各第１グラウンド線は帯状形状を持つ）を含む。第１センサ回路部と２個の第１グラウンド線は同じ層に形成されている。第１センサ回路部は、２個の第１グラウンド線で挟まれている。２個の第１グラウンド線のうちの一方の一端部（端部Ｘ１）と２個の第１グラウンド線のうちの他方の一端部（端部Ｙ１）は、第１隙間を形成している。タッチパネルをその正面から見た時、下記１）と２）の一方が満たされる：
１）線分Ｚ１は、２個の第１グラウンド線の少なくとも１個と交差する。線分Ｚ１は、第１隙間の外側ゲートの両脇に位置する端部Ｘ１の部位と端部Ｙ１の部位を結ぶ第１線分上の任意の一点Ｐ１と、第１隙間の内側ゲートの両脇に位置する端部Ｘ１の部位と端部Ｙ１の部位を結ぶ第２線分上の任意の一点Ｑ１と、を結ぶ線分である。
２）タッチパネルの内部へ伸びる線分Ｖ１の延長線が、第１センサ回路部と交差することなく、２個の第１グラウンド線のいずれかと交差する。線分Ｖ１は、第１隙間の外側ゲートの両脇に位置する端部Ｘ１の部位と端部Ｙ１の部位を結ぶ第１線分上の一点Ｊ１と、第１隙間の内側ゲートの両脇に位置する端部Ｘ１の部位と端部Ｙ１の部位を結ぶ第２線分上の一点Ｋ１と、を結び、且つ、２個の第１グラウンド線と交差しない任意の一線分である。
【発明の効果】
【００４４】
本発明のタッチパネルは、上記１）または上記２）を満たす構造を持つから、静電気に対する良好な耐性を持つ。
【図面の簡単な説明】
【００４５】
【図１Ａ】従来のタッチパネルを示す平面図である。
【図１Ｂ】図１Ａに示すタッチパネルの断面構成（Ａ１−Ａ１）を説明するための図である。
【図２】図１Ａに示すタッチパネルの第１導体層の概要を示す図であり、特に、（ａ）は第１導体層の平面図であり、（ｂ）はセンサ電極列の部分拡大図であり、（ｃ）はグラウンド線の部分拡大図である。
【図３】図１Ａに示すタッチパネルの第２導体層の概要を示す図であり、特に、（ａ）は第２導体層の平面図であり、（ｂ）はセンサ電極列の部分拡大図であり、（ｃ）はグラウンド線とシールド線の部分拡大図である。
【図４Ａ】実施形態の一例を示す。
【図４Ｂ】実施形態の一例を示す。
【図４Ｃ】実施形態の一例を示す。
【図４Ｄ】実施形態の一例を示す。
【図４Ｅ】実施形態の一例を示す。
【図４Ｆ】実施形態の一例を示す。
【図４Ｇ】実施形態の一例を示す。
【図４Ｈ】実施形態の一例を示す。
【図４Ｉ】実施形態の一例を示す。
【図４Ｊ】実施形態の一例を示す。
【図４Ｋ】実施形態の一例を示す。
【図４Ｌ】実施形態の一例を示す。
【図４Ｍ】実施形態の一例を示す。
【図４Ｎ】実施形態の一例を示す。
【図５Ａ】第１例における第１導体層の概要を示す平面図である。
【図５Ｂ】第１例における第２導体層の概要を示す平面図である。
【図６Ａ】図５ＡのＢ部の拡大図である。
【図６Ｂ】図５ＡのＢ部の変更例を示す図である。
【図６Ｃ】図５ＡのＢ部の変更例を示す図である。
【図７Ａ】第２例における第１導体層の概要を示す平面図である。
【図７Ｂ】第２例における第２導体層の概要を示す平面図である。
【図８Ａ】第３例の概要を示す平面図である。
【図８Ｂ】図８Ａに示すタッチパネルの断面構成（Ａ２−Ａ２）を説明するための図である。
【発明を実施するための形態】
【００４６】
この発明の実施形態を図面を参照して実施例により説明する。
【００４７】
図５Ａ，Ｂはこの発明によるタッチパネルの第１の実施例における第１導体層及び第２導体層の構成概要を、図２及び図３に示した従来のタッチパネル１００の第１導体層及び第２導体層の構成とそれぞれ同様に示したものである。
【００４８】
この例ではタッチパネル３００は図１Ａ，１Ｂ，２，３に示した従来のタッチパネル１００と同じ層構成を有し、第１及び第２のグラウンド線以外は従来のタッチパネル１００と同じ構成を有するものとなっており、よって従来のタッチパネル１００の構成と対応する部分には同一符号を付し、その詳細な説明を省略する。
【００４９】
額縁配線の外側に位置してセンサ電極配列及び額縁配線を囲む周回方向に延伸されている第１及び第２のグラウンド線は、この例では図５Ａ，Ｂに示したような形状を有する。
【００５０】
第１グラウンド線は相互に分断された２本のグラウンド線７１，７２で構成され、図５Ａに示したように周回方向において２本のグラウンド線７１，７２のうちの一方のグラウンド線７１のみが延伸されている部分（符号７１ｂで示される部分を参照せよ）、他方のグラウンド線７２のみが延伸されている部分（符号７２ｂで示される部分を参照せよ）及び両方のグラウンド線７１，７２が重複して延伸されている部分（図５Ａの符号Ｂで示される部分を参照せよ）の３つの部分を有する。２本のグラウンド線７１，７２が重複して延伸されている部分は透明基板１１の上辺中央に位置している。
【００５１】
図６Ａは２本のグラウンド線７１，７２が重複して延伸されている部分が位置する図５ＡのＢ部を拡大して示したものであり、グラウンド線７１，７２はそれぞれその端部に幅狭部（第４線部）７１ｄ，７２ｄを有し、幅狭部（第４線部）７１ｄ，７２ｄはそれらの幅方向において、２本のグラウンド線７１，７２を相互に分断する隙間７５を挟んで互いに平行配置されている。
【００５２】
一方、絶縁層を介して第１グラウンド線の上に位置されている第２グラウンド線も第１グラウンド線と同様、相互に分断された２本のグラウンド線８１，８２で構成され、図５Ｂに示したように周回方向において２本のグラウンド線８１，８２のうちの一方のグラウンド線８１のみが延伸されている部分（符号８１ｂで示される部分を参照せよ）、他方のグラウンド線８２のみが延伸されている部分（符号８２ｂで示される部分を参照せよ）及び両方のグラウンド線８１，８２が重複して延伸されている部分の３つの部分を有する。
【００５３】
第２グラウンド線はこの例では第１グラウンド線と同じ形状を有するものとされ、第２グラウンド線の２本のグラウンド線８１，８２が重複して延伸されている部分は第１グラウンド線の２本のグラウンド線７１，７２が重複して延伸されている部分と同じ位置に位置され、即ち重なる位置に位置されている。図５Ｂ中、８１ｄ，８２ｄはそれぞれグラウンド線８１，８２の端部の幅狭部（第４線部）を示し、８５は２本のグラウンド線８１，８２を相互に分断する隙間を示す。
【００５４】
上記のような形状を有する第１及び第２のグラウンド線を具備するタッチパネル３００では、電荷を移動させる原因としての第１及び第２のグラウンド線で囲う領域の外部から内部に至るあらゆる電気力線がもれなくグラウンド線７１，７２，８１，８２に交差することになり、これにより電荷がもれなくグラウンド線７１，７２，８１，８２にトラップされることになる。よって、透明基板１１の板面と平行方向から静電気がタッチパネル３００内に侵入するのを防止することができ、隙間５３，５４の存在により静電気が侵入する虞のあった従来のタッチパネル１００よりも静電気に対する耐性をさらに高めることができる。
【００５５】
図６Ｂ，Ｃは２本のグラウンド線７１，７２が重複して延伸されている部分が位置する図５ＡのＢ部の形状変更例をそれぞれ示したものである。
【００５６】
図６Ａではグラウンド線７１，７２の各端部に幅狭部（第４線部）７１ｄ，７２ｄを１本ずつ形成し、それらが隙間７５を挟んで互いに平行配置された構成としたが、図６Ｂでは幅狭部（第４線部）７１ｄ，７２ｄの幅を狭くし、グラウンド線７１には幅狭部（第４線部）７１ｄを２本形成してグラウンド線７２に形成した１本の幅狭部（第４線部）７２ｄがそれら２本の幅狭部（第４線部）７１ｄ間に入り込んだ構成としたものである。
【００５７】
図６Ｃは幅狭部（第４線部）７１ｄ，７２ｄの幅をさらに狭くし、グラウンド線７１，７２の端部がそれぞれ櫛歯状をなすようにして櫛歯をかみ合わせた構成としたものである。
【００５８】
２本のグラウンド線７１，７２が重複して延伸する部分は図６Ａに示した構成に替え、このような図６Ｂ，６Ｃに示した構成としてもよい。第２グラウンド線の２本のグラウンド線８１，８２が重複して延伸する部分も同様である。
【００５９】
図７Ａ，Ｂはこの発明によるタッチパネルの第２の実施例を図５Ａ，Ｂに示した第１の実施例と同様に示したものであり、図７Ａはタッチパネル４００の第１導体層の構成概要を示し、図７Ｂは第２導体層の構成概要を示す。
【００６０】
この例では第１グラウンド線において２本のグラウンド線７３，７４が重複して延伸されている部分及び第２グラウンド線において２本のグラウンド線８３，８４が重複して延伸されている部分は透明基板１１の上辺のほぼ全長に渡って位置するものとなっており、このような構成を採用することもできる。なお、透明基板１１の上辺に沿って延長されているグラウンド線８４の延長端とシールド線６０との間には隙間が設けられて絶縁分離されている。
【００６１】
次に、この発明によるタッチパネルの第３の実施例を図８を参照して説明する。
【００６２】
この図８に示したタッチパネル５００は図５に示したタッチパネル３００と同様の第１及び第２のグラウンド線を具備するものとなっているが、第２グラウンド線は絶縁層１３を介して第１グラウンド線の上に位置されるのではなく、グラウンド線７２，８２が位置する部分について図８Ｂに示したように、第２グラウンド線は第１グラウンド線の上に直接に重畳されて位置するものとなっている。
【００６３】
このような構成とすることにより、第１及び第２のグラウンド線は一体となって断面積が増大し、許容電流が増大するため、侵入してきた静電気を外部の回路基板により良好に逃がすことが可能となる。
【００６４】
なお、この例では絶縁層１３の形成位置を制限して第１グラウンド線が絶縁層１３によって覆われないようにされており、またハッチングを付して示しているシールド線６１と第２グラウンド線との間には隙間が設けられてシールド線６１は第２グラウンド線から分離され、第２グラウンド線と絶縁されたものとなっている。シールド線６１はこの例では絶縁層１３に設けられた穴９１の位置において第３グラウンド線４３と接続されている。
【００６５】
上述したタッチパネル５００のように、第１グラウンド線と第２グラウンド線とが直接に重畳される構成においては、一体となった第１及び第２のグラウンド線がループを形成してアンテナ効果が生じることがないようにする必要があり、よって第１グラウンド線における２本のグラウンド線７１，７２を相互に分断する隙間７５と、第２グラウンド線における２本のグラウンド線８１，８２を相互に分断する隙間８５は同じ位置に位置されて重畳される。なお、第１グラウンド線と第２グラウンド線との間に絶縁層１３が介在する構成においては、隙間７５と隙間８５は重畳していなくてもよく、即ち位置が一致していなくてもよい。
【００６６】
実施例は静電気に対する耐性を従来より高めるべく、図５〜８に示したような構成を採用してグラウンド線で囲う領域の外部から内部に至るあらゆる電気力線がもれなくグラウンド線に交差するようにしている。これにより、実施例では電荷がもれなくグラウンド線にトラップされるようにして静電気の侵入を防止するものとなっているが、静電気の侵入を防止するためには、グラウンド線で囲う領域の外部から内部に至る静電気の侵入経路の沿面距離を極力拡大する（長くする）といったことも有効と考えられている。
【００６７】
この点について言えば、２本のグラウンド線が重複して延伸されている部分において形成されている隙間７５，８５の沿面距離は、従来のタッチパネル１００における第１及び第２のグラウンド線の各隙間５３，５４の沿面距離よりも長く、よって沿面距離の観点からも効果大と言える。
【００６８】
以上の説明に基づく本発明は次のように総括できる。
・アイテム１
透明基板上に、センサ電極配列と、前記センサ電極配列の外側に位置して前記センサ電極配列に接続された額縁配線と、前記額縁配線の外側に位置して前記センサ電極配列及び前記額縁配線を囲む周回方向に延伸されたグラウンド線とが形成されているタッチパネルであって、
前記グラウンド線は相互に分断された２本のグラウンド線で構成され、前記周回方向において前記２本のグラウンド線のうちの一方のみが延伸されている部分、他方のみが延伸されている部分及び両方が重複して延伸されている部分の３つの部分を有しており、
前記両方が重複して延伸されている部分において、前記２本のグラウンド線を相互に分断する隙間が形成されていることを特徴とするタッチパネル。
・アイテム２
アイテム１に記載のタッチパネルにおいて、
前記透明基板上には、前記透明基板の直上に位置する第１導体層と、前記第１導体層の上方に位置する第２導体層とが形成され、
前記センサ電極配列は前記第１導体層と前記第２導体層のそれぞれにおいて形成され、
前記額縁配線は前記第１導体層において形成され、
前記グラウンド線は前記第１導体層と前記第２導体層のそれぞれにおいて形成され、
前記額縁配線の上方には前記額縁配線を覆うシールド線が前記第２導体層においてさらに形成され、
前記第１導体層と前記第２導体層の、少なくともそれぞれの層において形成される前記センサ電極配列どうしの間及び前記額縁配線と前記シールド線の間には、絶縁層が形成されて介在していることを特徴とするタッチパネル。
・アイテム３
アイテム２に記載のタッチパネルにおいて、
前記第１導体層において形成されている前記グラウンド線と前記第２導体層において形成されている前記グラウンド線とは直接に重畳しており、
前記第１導体層において形成されている前記グラウンド線の前記隙間と前記第２導体層において形成されている前記グラウンド線の前記隙間とは重畳していることを特徴とするタッチパネル。
【００６９】
次に、別の観点から本発明の実施形態を説明する。
【００７０】
実施形態のタッチパネルＴＰは、第１と第２の隙間の形状（換言すれば、２個の第１グラウンド線と２個の第２グラウンド線のそれぞれの一端部の構成）を除き、従来のタッチパネル１００と同じ構成を有する。ここでは両者の相違点を説明する。両者に共通する技術事項については上述のタッチパネル１００の説明をここに組み込み、これによって共通事項の重複説明を省略する。
【００７１】
実施形態のタッチパネルＴＰでは、２個の第１グラウンド線Ｗのそれぞれは、印刷によって形成されており、数ミリ程度の幅と０．１ミリ程度の厚みを持つ平坦な帯状形状を持つ。実施形態のタッチパネルＴＰでは、第１センサ回路部Ｍと２個の第１グラウンド線Ｗは同じ層に形成されており、第１センサ回路部Ｍは２個の第１グラウンド線Ｗで挟まれている。実施形態のタッチパネルＴＰでは、第１隙間Ｇは、２個の第１グラウンド線Ｗのうちの一方の一端部（以下、端部Ｘ１と呼称する）と２個の第１グラウンド線Ｗのうちの他方の一端部（以下、端部Ｙ１と呼称する）によって形成される。「端部Ｘ１」と「端部Ｙ１」は、必ずしも「末端」ではなく、「末端」とその近傍を含む。
【００７２】
実施形態のタッチパネルＴＰをその正面から見た時（つまり、カバーの法線方向でタッチパネルＴＰを見た時）、次の条件Ｃ１と条件Ｃ２の一方が満たされる。
Ｃ１）線分Ｚ１は、２個の第１グラウンド線Ｗの少なくとも１個と交差する。ただし、線分Ｚ１は、第１隙間Ｇの外側ゲートの両脇に位置する端部Ｘ１の部位Ｒ１と端部Ｙ１の部位Ｓ１を結ぶ第１線分上の任意の一点Ｐ１と、第１隙間Ｇの内側ゲートの両脇に位置する端部Ｘ１の部位Ｔ１と端部Ｙ１の部位Ｕ１を結ぶ第２線分上の任意の一点Ｑ１と、を結ぶ線分である。
Ｃ２）線分Ｖ１の延長線Ｖ１Ｅが、第１センサ回路部Ｍと交差することなく、２個の第１グラウンド線Ｗのいずれかと交差する。ただし、線分Ｖ１は、「第１隙間Ｇの外側ゲートの両脇に位置する端部Ｘ１の部位Ｒ１と端部Ｙ１の部位Ｓ１を結ぶ第１線分上の一点Ｊ１と、第１隙間Ｇの内側ゲートの両脇に位置する端部Ｘ１の部位Ｔ１と端部Ｙ１の部位Ｕ１を結ぶ第２線分上の一点Ｋ１と、を結び、且つ、２個の第１グラウンド線Ｗと交差しない」という条件Ｃ２ｐを満たす任意の一線分である。延長線Ｖ１Ｅは、線分Ｖ１をタッチパネルＴＰの内部へ延長した半直線である。
【００７３】
「外側ゲート」は、２個の第１グラウンド線Ｗが位置する平面Ｆ内においてタッチパネルＴＰの外側から見える第１隙間Ｇの入口（あるいは出口）である。視線方向に応じて外側ゲートの様相は変化するから、ここでは視線方向Ｅ１を「タッチパネルＴＰの外側から第１隙間Ｇの奥をできる限り見ることができる方向」と定める。「見える」は、必ずしも「実際に第１隙間Ｇの入口（あるいは出口）を視認できる」ことではなく、「２個の第１グラウンド線Ｗの形状と配置のみが考慮された状況において第１隙間Ｇの入口（あるいは出口）を視認できる」ことを意味する。「外側ゲートの両脇に位置する端部Ｘ１の部位Ｒ１と端部Ｙ１の部位Ｓ１」は、平面Ｆ内にて視線方向Ｅ１と直交する直線Ｈ１が第１隙間Ｇの近傍で（ａ）２個の第１グラウンド線Ｗと接する状況、または、（ｂ）２個の第１グラウンド線Ｗの一方と接し且つ他方と交差する状況、または、（ｃ）２個の第１グラウンド線Ｗの一方と交差し且つ他方と接する状況において、両端点を除き２個の第１グラウンド線Ｗと触れない当該直線Ｈ１上の閉線分の両端点として定められる。「第１線分」は当該閉線分を意味する。
【００７４】
同様に、「内側ゲート」は、平面Ｆ内においてタッチパネルＴＰの内側から見える第１隙間Ｇの出口（あるいは入口）である。視線方向に応じて内側ゲートの様相は変化するから、ここでは視線方向Ｅ２を「タッチパネルＴＰの内側から第１隙間Ｇの奥をできる限り見ることができる方向」と定める。「見える」は、必ずしも「実際に第１隙間Ｇの出口（あるいは入口）を視認できる」ことではなく、「２個の第１グラウンド線Ｗの形状と配置のみが考慮された状況において第１隙間Ｇの出口（あるいは入口）を視認できる」ことを意味する。「内側ゲートの両脇に位置する端部Ｘ１の部位Ｔ１と端部Ｙ１の部位Ｕ１」は、平面Ｆ内にて視線方向Ｅ２と直交する直線Ｈ２が第１隙間Ｇの近傍で（ａ）２個の第１グラウンド線Ｗと接する状況、または、（ｂ）２個の第１グラウンド線Ｗの一方と接し且つ他方と交差する状況、または、（ｃ）２個の第１グラウンド線Ｗの一方と交差し且つ他方と接する状況において、両端点を除き２個の第１グラウンド線Ｗと触れない当該直線Ｈ２上の閉線分の両端点として定められる。「第２線分」は当該閉線分を意味する。
【００７５】
条件Ｃ１と条件Ｃ２について、「条件Ｃ１では一点Ｐ１と一点Ｑ１はそれぞれ第１線分上の“任意の一点”と第２線分上の“任意の一点”であるが、条件Ｃ２では一点Ｊ１は必ずしも第１線分上の“任意の一点”ではなく、同様に、条件Ｃ２では一点Ｋ１は必ずしも第２線分上の“任意の一点”ではない」ということに注意されたい。
【００７６】
条件Ｃ１が満たされる場合、タッチパネルの現実の使用において２個の第１グラウンド線Ｗの少なくともいずれかと触れることなく第１隙間を通り抜ける静電気の放電経路が実現する蓋然性は著しく小さいので、第１隙間は電気的には塞がれていると言える。したがって、実施形態のタッチパネルは、静電気に対する良好な耐性を持つ。
【００７７】
条件Ｃ２が満たされる場合、ＥＳＤによって静電気が２個の第１グラウンド線Ｗの少なくともいずれかと触れることなく第１隙間を通り抜けたとしても、静電気は高い蓋然性で、第１センサ回路部Ｍに到達することなく２個の第１グラウンド線Ｗのいずれかに到達する。したがって、実施形態のタッチパネルは、静電気に対する良好な耐性を持つ。
【００７８】
条件Ｃ２が満たされる場合、下記の条件Ｃ２１が満たされることが好ましい。
Ｃ２１）延長線Ｖ１Ｅと交差する第１グラウンド線Ｗ（つまり、２個の第１グラウンド線Ｗのいずれか）の内側エッジと延長線Ｖ１Ｅとの交点ＶＶと、点Ｋ１と、の距離をＤ１とし、点Ｋ１から第１センサ回路部Ｍ（具体的には、電極、連結部、額縁線などの回路要素）までの最短距離をＤ２とすると、距離Ｄ１の最大値が距離Ｄ２の最小値よりも小さい。
【００７９】
タッチパネルＴＰの構成が条件Ｃ２１も満たす場合、ＥＳＤによって第１隙間Ｇを通り抜けた静電気が第１グラウンド線Ｗではなく第１センサ回路部Ｍに至る蓋然性が十分に小さくなる。
【００８０】
条件Ｃ１が満たされる場合、第１隙間は例えば非直線状である。この場合の第１隙間の具体的な形状として、クランク状隙間、ミアンダ状隙間、三角波状隙間、矩形波状隙間、正弦波状隙間、鋸歯波状隙間、櫛歯状隙間、Ｌ字状隙間などを例示できる。条件Ｃ２が満たされる場合、第１隙間は例えば直線状の隙間である。
【００８１】
図４Ａ〜４Ｎに実施形態の具体例を示す。図４Ａ〜４Ｎでは、第１隙間Ｇの周辺だけが図示されている。図４Ａ〜４Ｋに、条件Ｃ１が満たされる場合の実施形態を示す。便宜上、図４Ａ〜４Ｋでは１個の線分Ｚ１が描かれているが、第１線分上の“任意の一点”Ｐ１と第２線分上の“任意の一点”Ｑ１とを結ぶ線分Ｚ１が２個の第１グラウンド線Ｗの少なくとも１個と交差することを、図４Ａ〜４Ｋから理解できるであろう。図４Ｌ〜４Ｎに、条件Ｃ２が満たされる場合の実施形態を示す。便宜上、図４Ｌ〜４Ｎでは１個の線分Ｖ１と１個の延長線Ｖ１Ｅが描かれているが、条件Ｃ２ｐを満たす“任意の一線分”である線分Ｖ１の延長線Ｖ１Ｅが、第１センサ回路部Ｍと交差することなく、２個の第１グラウンド線Ｗのいずれかと交差することを、図４Ｌ〜４Ｎから理解できるであろう。
【００８２】
名称について、実施形態における「第１グラウンド線Ｗ」はタッチパネル１００で言及された「第１グラウンド線５１ａ，５１ｂ」に読み替えることができる（図４Ａ〜４Ｎにおいて、左側の第１グラウンド線Ｗを第１グラウンド線５１ａに読み替え、右側の第１グラウンド線Ｗを第１グラウンド線５１ｂに読み替える）。実施形態における「第１隙間Ｇ」はタッチパネル１００で言及された「第１隙間５３」に読み替えることができる。実施形態における「第１センサ回路部Ｍ」はタッチパネル１００で言及された「第１センサ回路部１０１」に読み替えることができる。
【００８３】
タッチパネルＴＰに含まれる第１グラウンド線Ｗの数Ｎ１はＮ１≧２を満たし、好ましくはＮ１＝２である。Ｎ１≧３の場合、隣り合う第１グラウンド線Ｗの間の第１隙間Ｇごとに条件Ｃ１または条件Ｃ２が成立する。
【００８４】
タッチパネルＴＰは、上述のとおり第２センサ回路部１０２を含む。タッチパネルＴＰにおいて第２センサ回路部１０２が第１導体層１２に形成される構成を採用できる。第１センサ回路部１０１と第２センサ回路部１０２が同じ導体層に形成される構成は良く知られているので、この構成の説明を省略する。第２センサ回路部１０２が第１導体層１２に形成されている場合、第２グラウンド線は不要である。しかし、第２センサ回路部１０２が第２導体層１４に形成されている場合、第２グラウンド線は通常、必要である。タッチパネルＴＰが２個の第２グラウンド線を含む場合、２個の第２グラウンド線の間の第２隙間について条件Ｃ１または条件Ｃ２が成立する。
【００８５】
タッチパネルＴＰが２個の第２グラウンド線を含む場合、名称について、実施形態における「第１グラウンド線Ｗ」はタッチパネル１００で言及された「第２グラウンド線５２ａ，５２ｂ」に読み替えることができる（図４Ａ〜４Ｎにおいて、左側の第１グラウンド線Ｗを第２グラウンド線５２ａに読み替え、右側の第１グラウンド線Ｗを第２グラウンド線５２ｂに読み替える）。同様に、実施形態における「第１隙間Ｇ」はタッチパネル１００で言及された「第２隙間５４」に読み替えることができる。同様に、実施形態における「第１センサ回路部Ｍ」はタッチパネル１００で言及された「第２センサ回路部１０２」に読み替えることができる。
【００８６】
タッチパネルＴＰに含まれる第２グラウンド線の数Ｎ２はＮ２≧２を満たし、好ましくはＮ２＝２である。Ｎ２≧３の場合、隣り合う第２グラウンド線の間の第２隙間ごとに条件Ｃ１またはＣ２が成立する。
【００８７】
タッチパネルＴＰにおいて第２グラウンド線が第１導体層１２と異なる第２導体層１４に形成される場合、第１隙間の形状と第２隙間の形状は異なっていてもよい。例えば、第１隙間は図４Ａに示される構成を持ち、且つ、第２隙間は図４Ｋに示される構成を持つことができる。
【００８８】
タッチパネルＴＰにおいて第２グラウンド線は第２導体層１４に形成されるとは限らない。例えば、第２グラウンド線の全体は第１グラウンド線の上に重なっていてもよい。タッチパネルＴＰが２個の第１グラウンド線と２個の第２グラウンド線を含む場合、左側の第２グラウンド線の全体は左側の第１グラウンド線の上に重なっていて、右側の第２グラウンド線の全体は右側の第１グラウンド線の上に重なっている。タッチパネルＴＰをその正面から見た時、第２隙間は第１隙間とオーバーラップしている（例えば、タッチパネルＴＰをその正面から見た時、第１隙間は第２隙間に含まれる）。したがって、アンテナ効果が抑圧される。
【００８９】
以下の説明は、上述の実施形態の一部についての補助的説明である。
【００９０】
＜第１例＞
第１例のタッチパネル３００は、２個の第１グラウンド線５１ａ，５１ｂに替えて２個の第１グラウンド線７１，７２を含む点と２個の第２グラウンド線５２ａ，５２ｂに替えて２個の第２グラウンド線８１，８２を含む点を除き、従来のタッチパネル１００と同じ構成を有する。ここでは両者の相違点を説明する。両者に共通する技術事項については上述のタッチパネル１００の説明をここに組み込み、これによって共通事項の重複説明を省略する。
【００９１】
以下、タッチパネル３００の構造を説明する。説明の簡略化のため、「２個の第１グラウンド線７１，７２のうちの一方」を単に「第１グラウンド線７１」と呼称し、「２個の第１グラウンド線７１，７２のうちの他方」を単に「第１グラウンド線７２」と呼称することもある。同様に、「２個の第２グラウンド線８１，８２のうちの一方」を単に「第２グラウンド線８１」と呼称し、「２個の第２グラウンド線８１，８２のうちの他方」を単に「第２グラウンド線８２」と呼称することもある。
【００９２】
図５Ａはタッチパネル３００における第１導体層の構成を示しており、図５Ｂはタッチパネル３００における第２導体層の構成を示している。
【００９３】
＜第２グラウンド線８１，８２  -  図５Ｂ＞
タッチパネル３００をその正面から見た時（つまり、カバー１７の法線方向でタッチパネル３００を見た時）、それぞれ２箇所で屈曲された帯状形状（換言すれば、staple形状）を持つ２個の第２グラウンド線８１，８２は、タッチパネル３００の周縁部に位置しており、複数の第２センサ電極列２５が位置するセンサ領域３０を大きな隙間を空けて挟んでいる。
【００９４】
第２グラウンド線８１は、タッチパネル３００の一方の長辺（下辺）に沿って伸びる第１線部８１ａと、タッチパネル３００の一方の短辺（左辺）に沿って伸びる第２線部８１ｂと、タッチパネル３００の他方の長辺（上辺）に沿って伸びる第３線部８１ｃと、第３線部８１ｃに接続する第４線部８１ｄを含む。同様に、第２グラウンド線８２は、タッチパネル３００の一方の長辺（下辺）に沿って伸びる第１線部８２ａと、タッチパネル３００の他方の短辺（右辺）に沿って伸びる第２線部８２ｂと、タッチパネル３００の他方の長辺（上辺）に沿って伸びる第３線部８２ｃと、第３線部８２ｃに接続する第４線部８２ｄを含む。第２グラウンド線８１は、第１線部８１ａと第２線部８１ｂと第３線部８１ｃで、シールド線６０と接続している。第２グラウンド線８２は、第１線部８２ａと第２線部８２ｂと第３線部８２ｃで、シールド線６０と接続している。
【００９５】
第４線部８１ｄは、第２グラウンド線８１の一端に位置し、第３線部８１ｃの幅よりも狭い幅を持つ１個の直線状導体を含む。同様に、第４線部８２ｄは、第２グラウンド線８２の一端に位置し、第３線部８２ｃの幅よりも狭い幅を持つ１個の直線状導体を含む。二つの第４線部８１ｄ，８２ｄはタッチパネル３００の上辺の中央部にて隙間８５を空けて互いに平行に配置されており、タッチパネル３００の長辺を横から見た時（つまり、図５Ｂの矢印の方向でタッチパネル３００を見た時）、二つの第４線部８１ｄ，８２ｄは互いにオーバーラップしている。換言すると、タッチパネル３００の上辺の中央部において、第２グラウンド線８１の一端である第４線部８１ｄと第２グラウンド線８２の一端である第４線部８２ｄは、隙間８５を空けて主に第３線部８１ｃ，８２ｃの伸長方向と直交する方向で対向している。
【００９６】
＜第１グラウンド線７１，７２  -  図５Ａ＞
タッチパネル３００をその正面から見た時、それぞれstaple形状を持つ２個の第１グラウンド線７１，７２は、タッチパネル３００の周縁部に位置しており、複数の第１センサ電極列２１が位置するセンサ領域３０を大きな隙間を空けて挟んでいる。第１グラウンド線７１，７２は、第１グラウンド線７１，７２と第２グラウンド線８１，８２の間に絶縁層１３が介在した状態で、第２グラウンド線８１，８２の真下に位置する。第１グラウンド線７１，７２も第２グラウンド線８１，８２と同じ構成を持つ。
【００９７】
第１グラウンド線７１は、タッチパネル３００の一方の長辺（下辺）に沿って伸びる第１線部７１ａと、タッチパネル３００の一方の短辺（左辺）に沿って伸びる第２線部７１ｂと、タッチパネル３００の他方の長辺（上辺）に沿って伸びる第３線部７１ｃと、第３線部７１ｃに接続する第４線部７１ｄを含む。同様に、第１グラウンド線７２は、タッチパネル３００の一方の長辺（下辺）に沿って伸びる第１線部７２ａと、タッチパネル３００の他方の短辺（右辺）に沿って伸びる第２線部７２ｂと、タッチパネル３００の他方の長辺（上辺）に沿って伸びる第３線部７２ｃと、第３線部７２ｃに接続する第４線部７２ｄを含む。
【００９８】
第４線部７１ｄは、第１グラウンド線７１の一端に位置し、第３線部７１ｃの幅よりも狭い幅を持つ１個の直線状導体を含む。同様に、第４線部７２ｄは、第１グラウンド線７２の一端に位置し、第３線部７２ｃの幅よりも狭い幅を持つ１個の直線状導体を含む。二つの第４線部７１ｄ，７２ｄはタッチパネル３００の上辺の中央部にて隙間７５を空けて互いに平行に配置されており、タッチパネル３００の長辺を横から見た時（つまり、図５Ａの矢印の方向でタッチパネル３００を見た時）、二つの第４線部７１ｄ，７２ｄは互いにオーバーラップしている。換言すると、タッチパネル３００の上辺の中央部において、第１グラウンド線７１の一端である第４線部７１ｄと第１グラウンド線７２の一端である第４線部７２ｄは、隙間７５を空けて主に第３線部７１ｃ，７２ｃの伸長方向と直交する方向で対向している（図６Ａ参照）。
【００９９】
タッチパネル３００では、オーバーラップ部において、タッチパネル３００の外部からその内部に至る電気力線が第４線部７１ｄ，７２ｄ，８１ｄ，８２ｄと交差するので、電荷は第１および第２のグラウンド線７１，７２，８１，８２にトラップされる。よって、タッチパネル３００は透明基板１１の板面と平行な方向から静電気がタッチパネル３００内に侵入することを防止でき、タッチパネル３００の静電気に対する耐性は従来のタッチパネル１００のそれよりも高い。したがって、静電気によってセンサ電極などの溶断、破壊などに代表される重大な故障の発生を回避できる。
【０１００】
図６Ｂ，６Ｃは、図５Ａに示すＢ部の変更例として櫛状構成を示している。
【０１０１】
図６Ｂに示す櫛状構成では、第４線部７１ｄは、第３線部７１ｃの幅よりも狭い幅を持つ２個の直線状導体を含み、第４線部７２ｄは、第３線部７２ｃの幅よりも狭い幅を持つ１個の直線状導体を含む。第４線部７１ｄの２個の直線状導体と第４線部７２ｄの１個の直線状導体は互い違いに配置されている。図示しないが、同様に、第４線部８１ｄが第３線部８１ｃの幅よりも狭い幅を持つ２個の直線状導体を含み、第４線部８２ｄが第３線部８２ｃの幅よりも狭い幅を持つ１個の直線状導体を含み、第４線部８１ｄの２個の直線状導体と第４線部８２ｄの１個の直線状導体が互い違いに配置されている構成を採用してもよい。
【０１０２】
図６Ｃに示す櫛状構成では、第４線部７１ｄは、第３線部７１ｃの幅よりも狭い幅を持つ３個の直線状導体を含み、第４線部７２ｄは、第３線部７２ｃの幅よりも狭い幅を持つ２個の直線状導体を含む。第４線部７１ｄの３個の直線状導体と第４線部７２ｄの２個の直線状導体は互い違いに配置されている。図示しないが、同様に、第４線部８１ｄが第３線部８１ｃの幅よりも狭い幅を持つ３個の直線状導体を含み、第４線部８２ｄが第３線部８２ｃの幅よりも狭い幅を持つ２個の直線状導体を含み、第４線部８１ｄの３個の直線状導体と第４線部８２ｄの２個の直線状導体は互い違いに配置されている構成を採用してもよい。
【０１０３】
＜第２例＞
第２例のタッチパネル４００は、第１グラウンド線５１ａ，５１ｂに替えて第１グラウンド線７３，７４を含む点と第２グラウンド線５２ａ，５２ｂに替えて第２グラウンド線８３，８４を含む点を除き、従来のタッチパネル１００と同じ構成を有する。ここでは両者の相違点を説明する。両者に共通する技術事項については上述のタッチパネル１００の説明をここに組み込み、これによって共通事項の重複説明を省略する。
【０１０４】
以下、タッチパネル４００の構造を説明する。説明の簡略化のため、「２個の第１グラウンド線７３，７４のうちの一方」を単に「第１グラウンド線７３」と呼称し、「２個の第１グラウンド線７３，７４のうちの他方」を単に「第１グラウンド線７４」と呼称することもある。同様に、「２個の第２グラウンド線８３，８４のうちの一方」を単に「第２グラウンド線８３」と呼称し、「２個の第２グラウンド線８３，８４のうちの他方」を単に「第２グラウンド線８４」と呼称することもある。
【０１０５】
図７Ａはタッチパネル４００における第１導体層の構成を示しており、図７Ｂはタッチパネル４００における第２導体層の構成を示している。
【０１０６】
＜第２グラウンド線８３，８４＞
タッチパネル４００をその正面から見た時、それぞれstaple形状を持つ２個の第２グラウンド線８３，８４は、タッチパネル４００の周縁部に位置しており、複数の第２センサ電極列２５が位置するセンサ領域３０を大きな隙間を空けて挟んでいる。
【０１０７】
第２グラウンド線８３は、タッチパネル４００の一方の長辺（下辺）に沿って伸びる第１線部８３ａと、タッチパネル４００の一方の短辺（左辺）に沿って伸びる第２線部８３ｂと、タッチパネル４００の他方の長辺（上辺）に沿って伸びる第３線部８３ｃを含む。同様に、第２グラウンド線８４は、タッチパネル４００の一方の長辺（下辺）に沿って伸びる第１線部８４ａと、タッチパネル４００の他方の短辺（右辺）に沿って伸びる第２線部８４ｂと、タッチパネル４００の他方の長辺（上辺）に沿って伸びる第３線部８４ｃを含む。
【０１０８】
第３線部８３ｃは、第２グラウンド線８３の一端側に位置し、タッチパネル４００の上辺の全長よりやや短い長さを持つ。同様に、第３線部８４ｃは、第２グラウンド線８４の一端側に位置し、タッチパネル４００の上辺の全長よりやや短い長さを持つ。二つの第３線部８３ｃ，８４ｃはタッチパネル４００の上辺にて互いに平行に配置されており、タッチパネル４００の長辺を横から見た時（つまり、図７Ｂの矢印の方向でタッチパネル４００を見た時）、二つの第３線部８３ｃ，８４ｃは第３線部８４ｃの全長に亘って互いにオーバーラップしている。換言すると、タッチパネル４００の上辺において、第２グラウンド線８３の一端側に位置する第３線部８３ｃと第２グラウンド線８４の一端側に位置する第３線部８４ｃは、隙間８５を空けて主に第３線部８３ｃ，８４ｃの伸長方向と直交する方向で対向している。第２グラウンド線８４の一端（つまり、第３線部８４ｃの端部）とシールド線６０は隙間を空けて絶縁されている。
【０１０９】
＜第１グラウンド線７３，７４＞
タッチパネル４００をその正面から見た時、それぞれstaple形状を持つ２個の第１グラウンド線７３，７４は、タッチパネル４００の周縁部に位置しており、複数の第１センサ電極列２１が位置するセンサ領域３０を大きな隙間を空けて挟んでいる。第１グラウンド線７３，７４は、第１グラウンド線７３，７４と第２グラウンド線８３，８４の間に絶縁層１３が介在した状態で、第２グラウンド線８３，８４の真下に位置する。第１グラウンド線７３，７４も第２グラウンド線８３，８４と同じ構成を持つ。
【０１１０】
第１グラウンド線７３は、タッチパネル４００の一方の長辺（下辺）に沿って伸びる第１線部７３ａと、タッチパネル４００の一方の短辺（左辺）に沿って伸びる第２線部７３ｂと、タッチパネル４００の他方の長辺（上辺）に沿って伸びる第３線部７３ｃを含む。同様に、第１グラウンド線７４は、タッチパネル４００の一方の長辺（下辺）に沿って伸びる第１線部７４ａと、タッチパネル４００の他方の短辺（右辺）に沿って伸びる第２線部７４ｂと、タッチパネル４００の他方の長辺（上辺）に沿って伸びる第３線部７４ｃを含む。
【０１１１】
第３線部７３ｃは、第１グラウンド線７３の一端側に位置し、タッチパネル４００の上辺の全長よりやや短い長さを持つ。同様に、第３線部７４ｃは、第１グラウンド線７４の一端側に位置し、タッチパネル４００の上辺の全長よりやや短い長さを持つ。二つの第３線部７３ｃ，７４ｃはタッチパネル４００の上辺にて互いに平行に配置されており、タッチパネル４００の長辺を横から見た時（つまり、図７Ａの矢印の方向でタッチパネル４００を見た時）、二つの第３線部７３ｃ，７４ｃは第３線部７４ｃの全長に亘って互いにオーバーラップしている。換言すると、タッチパネル４００の上辺において、第１グラウンド線７３の一端側に位置する第３線部７３ｃと第１グラウンド線７４の一端側に位置する第３線部７４ｃは、隙間７５を空けて主に第３線部７３ｃ，７４ｃの伸長方向と直交する方向で対向している。
【０１１２】
＜第３例＞
第３例のタッチパネル５００は、グラウンド線５１ａ，５１ｂ，５２ａ，５２ｂに替えて第１例のグラウンド線７１，７２，８１，８２を含む点およびグラウンド線７１，７２，８１，８２の層構造を除き、従来のタッチパネル１００と同じ構成を有する。ここでは両者の相違点を説明する。両者に共通する技術事項については上述のタッチパネル１００の説明をここに組み込み、これによって共通事項の重複説明を省略する。
【０１１３】
図８Ａはタッチパネル５００の平面図を示しており、図８Ｂはタッチパネル５００の層構造を示している。
【０１１４】
第１グラウンド線７１，７２は絶縁層１３によって覆われず、図８Ａ，８Ｂに示すように、第２グラウンド線８１が第１グラウンド線７１の真上に直接に置かれ、第２グラウンド線８２が第１グラウンド線７２の真上に直接に置かれている。
【０１１５】
この構成によると、第１グラウンド線７１と第２グラウンド線８１は一体化して大きな断面積を持ち、それゆえ許容電流が増大する。同様に、第１グラウンド線７２と第２グラウンド線８２は一体化して大きな断面積を持ち、それゆえ許容電流が増大する。したがって、侵入してきた静電気を外部の回路基板に良好に逃がすことが可能である。
【０１１６】
この例では、シールド線６１は、隙間を空けて第２グラウンド線８１，８２と絶縁されている。シールド線６１は、この例では絶縁層１３に形成された穴９１を通して、第３グラウンド線４３と接続している。模式図である図８Ｂでは、シールド線６１の横に第２グラウンド線８２が位置していないように描画されている。実際には、第２グラウンド線８２の真上に位置する保護膜１５は図示される厚さを持っておらず（具体的には、当該位置での保護膜１５は、シールド線６１の真上に位置する保護膜１５の厚さとほぼ同じ厚さを持っている）、且つ、保護膜１５は光学粘着剤１６に付着しているので、シールド線６１のほぼ横に第２グラウンド線８２が位置しており、且つ、第１額縁線４１のほぼ横に第１グラウンド線７２が位置している。
【０１１７】
第２グラウンド線８１，８２が第１グラウンド線７１，７２の真上に直接に置かれている構成においては、グラウンド線７１，７２，８１，８２がアンテナ効果を生じないようにする必要がある。よって、二つの第１グラウンド線７１，７２の間の隙間７５の位置は、二つの第２グラウンド線８１，８２の間の隙間８５の位置と同じでなければならない。第１グラウンド線７１，７２と第２グラウンド線８１，８２との間に絶縁層１３が介在する構成においては、隙間７５の位置は隙間８５の位置と一致しなくてもよい。
【０１１８】
これらのタッチパネルでは、第１および第２のグラウンド線で囲う領域の外部から当該領域の内部に至る全ての電気力線が第１および第２のグラウンド線と交差する。したがって、電荷は第１および第２のグラウンド線にトラップされ、静電気のタッチパネル内への侵入が防止される。
【０１１９】
さらに、静電気の侵入を防止するためには、第１および第２のグラウンド線で囲う領域の外部から当該領域の内部に至る静電気の侵入経路の距離をできるだけ長くすることも有効であると考えられる。この点について言えば、これらのタッチパネルでは、隙間が介在する部分で２個のグラウンド線が対面する長さが、従来のタッチパネル１００におけるそれよりも長いので、これらのタッチパネルは静電気の侵入を良好に防止できる。
【０１２０】
明細書では、「接続された」という用語とこのあらゆる語形変形は、２又はそれ以上の要素間の直接的又は間接的な接続を意味し、互いに「接続」された２つの要素の間に１又はそれ以上の中間要素が存在することを含むことができる。要素と要素との接続は、物理的接続であっても、電気的接続であっても、或いはこれらの組み合わせであってもよい。
【０１２１】
明細書と特許請求の範囲では、序数詞は、特段の断りが無い限り、助数詞の定義にもかかわらず、序数詞で修飾されるまたは序数詞と結合する要素を当該要素の順序または当該要素の量で限定することを意図しない。助数詞の使用は、特段の断りが無い限り、単に、２つ以上の要素を互いに区別する便利な表現方法として使用される。したがって、例えば語句「第１のＸ」と語句「第２のＸ」は、２つのＸを区別するための表現であり、Ｘの総数が２であることを意味するものでは必ずしもなく、あるいは、第１のＸが第２のＸに先行しなければならないことを意味するものでは必ずしもない。「第１」という用語について、必ずしも「最初」を意味するとは限らない。
【０１２２】
明細書と特許請求の範囲では、用語「含む」とその語形変化は非排他的表現として使用されている。例えば、「ＸはＡとＢを含む」という文は、ＸがＡとＢ以外の構成要素（例えばＣ）を含むことを否定しない。また、明細書と特許請求の範囲において或る文が用語「含む」またはその語形変化が否定辞と結合した語句を含む場合、当該文は用語「含む」またはその語形変化の目的語について言及するだけである。したがって、例えば「ＸはＡとＢを含まない」という文は、ＸがＡとＢ以外の構成要素を含む可能性を認めている。さらに、明細書あるいは特許請求の範囲において使用されている用語「または」は排他的論理和ではないことが意図される。
【０１２３】
以上、本発明の実施形態について説明したが、本発明はこれらの実施形態に限定されるものではない。本発明の要旨を逸脱しない範囲において種々の変更と変形が許される。選択され且つ説明された実施形態は、本発明の原理およびその実際的応用を解説するためのものである。本発明は様々な変更あるいは変形を伴って様々な実施形態として使用され、様々な変更あるいは変形は期待される用途に応じて決定される。そのような変更および変形のすべては、添付の請求範囲によって定義される本発明の範囲に含まれることが意図されており、公平、適法および公正に与えられる広さに従って解釈される場合、同じ保護が与えられることが意図されている。
【符号の説明】
【０１２４】
１１  透明基板
１２  第１導体層
１３  絶縁層
１４  第２導体層
１５  保護膜
１６  光学粘着剤
１７  カバー
２１  第１センサ電極列
２２  第１島状電極
２３  第１連結部
２５  第２センサ電極列
２６  第２島状電極
２７  第２連結部
３０  センサ領域
４１  第１額縁線
４２  第２額縁線
４３  第３グラウンド線
５１ａ  第１グラウンド線
５１ｂ  第１グラウンド線
５２ａ  第２グラウンド線
５２ｂ  第２グラウンド線
５３  第１隙間
５４  第２隙間
６０  シールド線
６１  シールド線
７１  第１グラウンド線
７１ａ  第１線部
７１ｂ  第２線部
７１ｃ  第３線部
７１ｄ  第４線部
７２  第１グラウンド線
７２ａ  第１線部
７２ｂ  第２線部
７２ｃ  第３線部
７２ｄ  第４線部
７３  第１グラウンド線
７３ａ  第１線部
７３ｂ  第２線部
７３ｃ  第３線部
７４  第１グラウンド線
７４ａ  第１線部
７４ｂ  第２線部
７４ｃ  第３線部
７５  隙間
８１  第２グラウンド線
８１ａ  第１線部
８１ｂ  第２線部
８１ｃ  第３線部
８１ｄ  第４線部
８２  第２グラウンド線
８２ａ  第１線部
８２ｂ  第２線部
８２ｃ  第３線部
８２ｄ  第４線部
８３  第２グラウンド線
８３ａ  第１線部
８３ｂ  第２線部
８３ｃ  第３線部
８４  第２グラウンド線
８４ａ  第１線部
８４ｂ  第２線部
８４ｃ  第３線部
８５  隙間
９１  穴
１００  タッチパネル
１０１  第１センサ回路部
１０２  第２センサ回路部
２００  筺体
３００  タッチパネル
４００  タッチパネル
５００  タッチパネル
Ｅ１  視線方向
Ｅ２  視線方向
Ｆ  平面
Ｇ  第１隙間
Ｈ１  直線
Ｈ２  直線
Ｊ１  一点
Ｋ１  一点
Ｍ  第１センサ回路部
Ｐ１  一点
Ｑ１  一点
Ｒ１  部位
Ｓ１  部位
Ｔ１  部位
Ｕ１  部位
ＴＰ  タッチパネル
Ｖ１  線分
Ｖ１Ｅ  延長線
ＶＶ  交点
Ｗ  第１グラウンド線
Ｘ１  端部
Ｙ１  端部
Ｚ１  線分
【図１Ａ】
2019212300.tif 000003
【図１Ｂ】
2019212300.tif 000004
【図２】
2019212300.tif 000005
【図３】
2019212300.tif 000006
【図４Ａ】
2019212300.tif 000007
【図４Ｂ】
2019212300.tif 000008
【図４Ｃ】
2019212300.tif 000009
【図４Ｄ】
2019212300.tif 000010
【図４Ｅ】
2019212300.tif 000011
【図４Ｆ】
2019212300.tif 000012
【図４Ｇ】
2019212300.tif 000013
【図４Ｈ】
2019212300.tif 000014
【図４Ｉ】
2019212300.tif 000015
【図４Ｊ】
2019212300.tif 000016
【図４Ｋ】
2019212300.tif 000017
【図４Ｌ】
2019212300.tif 000018
【図４Ｍ】
2019212300.tif 000019
【図４Ｎ】
2019212300.tif 000020
【図５Ａ】
2019212300.tif 000021
【図５Ｂ】
2019212300.tif 000022
【図６Ａ】
2019212300.tif 000023
【図６Ｂ】
2019212300.tif 000024
【図６Ｃ】
2019212300.tif 000025
【図７Ａ】
2019212300.tif 000026
【図７Ｂ】
2019212300.tif 000027
【図８Ａ】
2019212300.tif 000028
【図８Ｂ】
2019212300.tif 000029